【手続補正書】
【提出日】平成23年9月21日(2011.9.21)
【手続補正１】
【補正対象書類名】特許請求の範囲
【補正対象項目名】全文
【補正方法】変更
【補正の内容】
【特許請求の範囲】
【請求項１】
音響センサを備える溢出検出器であって、該音響センサは、薬液を患者に注入する間の流体流動の音響放出を検知するように構成される、溢出検出器。
【請求項２】
前記音響センサは、マイクロホンを備える、請求項１に記載の溢出検出器。
【請求項３】
前記音響センサは、注入部位に近接して装着されるように構成される、請求項１または２に記載の溢出検出器。
【請求項４】
複数の音響センサを備える、請求項１〜３のいずれか１項に記載の溢出検出器。
【請求項５】
前記センサは、複数のセンサにより検知される音響放出が、背景雑音を考慮するために処理されるように構成される、請求項４に記載の溢出検出器。
【請求項６】
前記センサは、複数のセンサにより検知される音響放出が、溢出事象の位置を判断するように処理されるように構成される、請求項４または５に記載の溢出検出器。
【請求項７】
前記音響センサにより検知される音響放出を標示する信号を前記音響センサから受信するように構成されるモニタを備える、請求項１〜６のいずれか１項に記載の溢出検出器。
【請求項８】
前記モニタは、溢出事象が発生したか、発生中か、または発生する可能性があるか否かを判断するために、前記信号を処理するように構成される、請求項７に記載の溢出検出器。
【請求項９】
カテーテルを備える、請求項１〜８のいずれか１項に記載の溢出検出器。
【請求項１０】
前記カテーテルは、音響放出を生成するように構成される、請求項９に記載の溢出検出器。
【請求項１１】
カテーテルに連結される溢出センサを備える、請求項１に記載の溢出検出器。
【請求項１２】
動力注入器と、
該動力注入器による薬液の注入に関連する音響を監視するように構成される音響センサと
を備える、薬液注入器。
【請求項１３】
前記動力注入器は、前記音響に基づいて、前記薬液の患者へ前記注入を制御するように構成される、請求項１２に記載の薬液注入器。
【請求項１４】
前記動力注入器は、前記音響に基づいて、溢出が発生したか、発生中か、または発生する可能性があるか否かに基づいて前記注入を制御するように構成される、請求項１２または１３に記載の薬液注入器。
【請求項１５】
前記動力注入器に連結されるカテーテルをさらに備え、該カテーテルは、該カテーテルを通って流動する前記薬液の流量を標示する音響放出を生成するように構成される特徴を備える、請求項１２〜１４のいずれか１項に記載の薬液注入器。
【請求項１６】
機械読み取り可能媒体と、
該機械読み取り可能媒体上に配置されるコードであって、該コードは、注入に関連する音響放出を検知するように構成される音響センサを監視し、かつ溢出事象が発生したか、発生中か、または発生する可能性があるかを判断するように構成されるコードと
を備える、有形媒体。
【手続補正２】
【補正対象書類名】明細書
【補正対象項目名】００１３
【補正方法】変更
【補正の内容】
【００１３】
以下の発明を実施するための形態を添付の図面を参照して読む場合に、本発明に関するこれらの特徴、側面、および利点ならびに他の特徴、側面、および利点がより良く理解され、本図面において、同一の文字は、類似の部分を表す。
例えば、本発明は以下の項目を提供する。
（項目１）
音響センサを備える溢出検出器であって、該音響センサは、薬液を患者に注入する間の流体流動の音響放出を検知するように構成される、溢出検出器。
（項目２）
上記音響センサは、マイクロホンを備える、項目１に記載の溢出検出器。
（項目３）
上記音響センサは、注入部位に近接して装着されるように構成される、項目１または２に記載の溢出検出器。
（項目４）
複数の音響センサを備える、項目１〜３のいずれか１項に記載の溢出検出器。
（項目５）
上記センサは、複数のセンサにより検知される音響放出が、背景雑音を考慮するために処理されるように構成される、項目４に記載の溢出検出器。
（項目６）
上記センサは、複数のセンサにより検知される音響放出が、溢出事象の位置を判断するように処理されるように構成される、項目４または５に記載の溢出検出器。
（項目７）
上記音響センサにより検知される音響放出を標示する信号を上記音響センサから受信するように構成されるモニタを備える、項目１〜６のいずれか１項に記載の溢出検出器。
（項目８）
上記モニタは、溢出事象が発生したか、発生中か、または発生する可能性があるか否かを判断するために、上記信号を処理するように構成される、項目７に記載の溢出検出器。
（項目９）
カテーテルを備える、項目１〜８のいずれか１項に記載の溢出検出器。
（項目１０）
上記カテーテルは、音響放出を生成するように構成される、項目９に記載の溢出検出器。
（項目１１）
カテーテルに連結される溢出センサを備える、項目１に記載の溢出検出器。
（項目１２）
動力注入器と、
該動力注入器による薬液の注入に関連する音響を監視するように構成される音響センサと
を備える、薬液注入器。
（項目１３）
上記動力注入器は、上記音響に基づいて、上記薬液の患者へ上記注入を制御するように構成される、項目１２に記載の薬液注入器。
（項目１４）
上記動力注入器は、上記音響に基づいて、溢出が発生したか、発生中か、または発生する可能性があるか否かに基づいて上記注入を制御するように構成される、項目１２または１３に記載の薬液注入器。
（項目１５）
上記動力注入器に連結されるカテーテルをさらに備え、該カテーテルは、該カテーテルを通って流動する上記薬液の流量を標示する音響放出を生成するように構成される特徴を備える、項目１２〜１４のいずれか１項に記載の薬液注入器。
（項目１６）
溢出について監視する方法であって、
被検者に注入される薬液の流体流動により生成される音響放出を検知するステップと、
該検知された音響放出に基づいて、溢出事象の可能性を検出するステップと
を含む、方法。
（項目１７）
検出するステップは、上記検知された音響放出を基準音響放出と比較するステップを含む、項目１６に記載の方法。
（項目１８）
検出するステップは、溢出の特性を識別するために、上記検知された音響放出を処理するステップを含む、項目１６または１７に記載の方法。
（項目１９）
基準音響放出を入手するステップと、注入音響放出を入手するステップとを含み、該注入音響放出は、上記薬液を上記被検者に注入する間に入手される、項目１６〜１８のいずれか１項に記載の方法。
（項目２０）
上記基準音響放出を入手するステップは、メモリから基準音響放出にアクセスするステップを含む、項目１９に記載の方法。
（項目２１）
上記基準音響放出を入手するステップは、上記薬液を上記被検者に注入する前に、上記被検者からの音響放出を検知するステップを含む、項目１９に記載の方法。
（項目２２）
上記基準音響放出を上記注入音響放出と比較するステップと、該比較に基づいて、溢出が発生したか、発生中か、または発生する可能性があるか否かを判断するステップとを含む、項目１９〜２１のいずれか１項に記載の方法。
（項目２３）
上記溢出事象の可能性、上記音響放出、またはそれらの組み合わせに基づいて、上記薬液の注入を制御するステップを含む、項目１６〜２２のいずれか１項に記載の方法。
（項目２４）
上記注入を制御するステップは、上記注入における閾値点の後に溢出事象の可能性が発生した場合に、該注入を継続するステップを含む、項目２３に記載の方法。
（項目２５）
患者に上記薬液を注入するステップを含む、項目１６〜２４のいずれか１項に記載の方法。
（項目２６）
上記溢出事象の可能性に関する通知を出力するステップを含む、項目１６〜２５のいずれか１項に記載の方法。
（項目２７）
溢出が発生したか、発生中か、または発生する可能性がある場合、是正措置を取るステップを含む、項目１６〜２６のいずれか１項に記載の方法。
（項目２８）
上記注入器は、針を含み、上記音響センサは、該注入器に連結される、項目２７に記載の方法。
（項目２９）
機械可読媒体と、
該機械可読媒体上に配置されるコードであって、該コードは、注入に関連する音響放出を検知するように構成される音響センサを監視し、かつ溢出事象が発生したか、発生中か、または発生する可能性があるかを判断するように構成されるコードと
を備える、有形媒体。